(57)【要約】【課題】最後のラベルを印字発行し、不良ラベルを通知して、二重発行や不良ラベルの発行を防止する。【解決手段】ファンホールド紙３がプラテン６によって搬送され、ＲＦＩＤリードライト部１０によってファンホールド紙３を構成するラベルに挟み込まれたＲＦＩＤタグにデータが書き込まれた後、サーマルヘッド５によって所定の印刷データが印刷され、カッタ１２によってカットされた後、発行される。ＲＦＩＤタグがラベルに挟み込まれていない場合、またはＲＦＩＤタグが不良のためデータを書き込むことができない場合、所定のメッセージをラベルに印刷して発行する。ペーパーエンドが発生した場合でも、ＲＦＩＤタグが検出され、印刷が可能であればＲＦＩＤタグにデータを書き込み、印刷した後、発行する。【選択図】図１
2006272842.tif 000002
【特許請求の範囲】
【請求項１】
所定数だけ連続して供給可能な状態で装填される所定の媒体に対して所定の印刷データを印刷するとともに所定のデータを記録する印刷装置であって、
前記媒体を搬送する搬送手段と、
前記搬送手段によって搬送された前記媒体に前記印刷データを印刷する印刷手段と、
前記搬送手段によって搬送された前記媒体に前記データを記録するデータ記録手段と、
前記媒体の終端を検出する検出手段と、
前記検出手段によって前記媒体の前記終端が検出されたとき、前記最後の媒体に対して前記データの記録が可能であるか否かを判定する第１の判定手段と、
前記最後の媒体に対して前記印刷データの印刷が可能であるか否かを判定する第２の判定手段と、
前記第１および第２の判定手段による各判定結果に応じて、前記データ記録手段が前記最後の媒体に対して前記データを記録し、前記印刷手段が前記最後の媒体に対して前記印刷データを印刷するように制御する制御手段と、
前記媒体をカットして発行する発行手段と
を備えることを特徴とする印刷装置。
【請求項２】
前記第１の判定手段により、前記媒体に対して前記データの記録が不可能であると判定された場合、前記印刷手段は、前記媒体に対して前記媒体が無効であることを示す所定のメッセージを印刷する
ことを特徴とする請求項１に記載の印刷装置。
【発明の詳細な説明】
【技術分野】
【０００１】
本発明は印刷装置に関し、特に、ＲＦＩＤタグ付きラベルを発行するときに用いられる印刷装置に関する。
【背景技術】
【０００２】
従来、印刷装置としてのプリンタにおいて、ファンホールド紙（折りたたみ連続紙）を使用し、そのファンホールド紙のラベルのピッチ（ラベルの先端とそのラベルと隣接する他のラベルの先端との間の距離）が、ファンホールド紙のラベルの位置を示す識別マークを検出する位置検出センサと、ラベルに対して所定の印刷データを印刷するサーマルヘッドとの間の距離以上である場合に、位置検出センサが紙無しを検出した後、所定の基準となる距離だけ搬送方向にファンホールド紙を搬送してもラベルが無い状態であるとき、ペーパーエンドとしてエラーを発生し、印刷処理を停止させていた。このため、最後のラベルに対しては印刷途中または印刷を行うことなくペーパーエンドとしてエラーが発生し、最後のラベルを無駄にしてしまう場合があった。
【０００３】
そこで、例えば、ラベル連続体から供給される最後のラベルをエンドセンサが検出すると、制御部の制御下、印刷ヘッドが最後のラベルに対して所定の印刷データを印刷するとともに、その印刷データを保存しておき、最後のラベルが正常に印刷されたか否かをユーザに問い合わせる。ユーザにより最後のラベルが目視によりチェックされ、最後のラベルが正常に印刷されておらず、使用不可であるとして再印刷が指示されると、制御部の制御下、保存してあった印刷データが読み出され、その印刷データが印刷ヘッドにより新たに装填されたラベル連続体から供給されたラベルに印刷されるようにし、正常に印刷できなかった場合に簡単な操作で迅速に再印刷することができるようにしたものがある（例えば、特許文献１参照）。
【特許文献１】特開２００２−３４７２８４号公報
【発明の開示】
【発明が解決しようとする課題】
【０００４】
しかしながら、背景技術では、ＲＦＩＤタグが挟み込まれたラベルにおいて、最後のラベルにＲＦＩＤタグが挟み込まれていない場合、またはＲＦＩＤタグに書き込みができない場合には、そのラベルが無効であることを印刷してオペレータに知らせるという機能はなかった。
【０００５】
本発明はこのような状況に鑑みてなされたものであり、最後のラベルにＲＦＩＤタグが挟み込まれていない場合、またはＲＦＩＤタグに書き込みができない場合には、そのラベルが無効であることを印刷するなどしてオペレータに知らせることにより、ＲＦＩＤが挟み込まれていないラベルまたは書き込みできないＲＦＩＤタグが挟み込まれたラベルを無効として二重発行を抑制するとともに、不良ラベルの発行を抑制することができるようにするものである。
【課題を解決するための手段】
【０００６】
請求項１に記載の印刷装置は、所定数だけ連続して供給可能な状態で装填される所定の媒体に対して所定の印刷データを印刷するとともに所定のデータを記録する印刷装置であって、媒体を搬送する搬送手段と、搬送手段によって搬送された媒体に印刷データを印刷する印刷手段と、搬送手段によって搬送された媒体にデータを記録するデータ記録手段と、媒体の終端を検出する検出手段と、検出手段によって媒体の終端が検出されたとき、最後の媒体に対してデータの記録が可能であるか否かを判定する第１の判定手段と、最後の媒体に対して印刷データの印刷が可能であるか否かを判定する第２の判定手段と、第１および第２の判定手段による各判定結果に応じて、データ記録手段が最後の媒体に対してデータを記録し、印刷手段が最後の媒体に対して印刷データを印刷するように制御する制御手段と、媒体をカットして発行する発行手段とを備えることを特徴とする。
また、第１の判定手段により、媒体に対してデータの記録が不可能であると判定された場合、印刷手段は、媒体に対して媒体が無効であることを示す所定のメッセージを印刷するようにすることができる。
【発明の効果】
【０００７】
本発明の印刷装置によれば、ＲＦＩＤタグが挟み込まれていない場合や、ＲＦＩＤタグに書き込みができない場合に、無効なラベルであることを印刷してオペレータに通知するようにしたので、ラベルの二重発行や不良ラベルの発行を防止することができる。
【発明を実施するための最良の形態】
【０００８】
図１は、本発明が適用されるラベルプリンタの一実施の形態の構成例を示している。同図に示すように、ラベルプリンタ１００は、各部を制御する制御部２０と、ＲＦＩＤ（Radio Frequency-Identification）タグ付きファンホールド紙（以下、ファンホールド紙と記載する）３の印刷面に所定の印刷データを印刷するサーマルヘッド５と、ファンホールド紙３を両面から回転自在に挟持し、サーマルヘッド５に案内する補助ローラ４と、制御部２０の制御により駆動される図示しないステッピングモータの回転駆動力によって回転し、ファンホールド紙３を搬送するとともに、ファンホールド紙３をサーマルヘッド５に押圧するプラテンローラ（以下では、適宜単にプラテンと記載する）６と、インクリボンを供給するリボン供給部７と、インクリボンを巻き取るリボン巻取部８と、所定の光を出射する発光部および発光部から出射された光のファンホールド紙３からの反射光を受光し、受光した光の強度（単位時間当たりの受光量）に対応する電気信号を出力する受光部からなり、ファンホールド紙３の裏面の側に発光部と受光部を配し、ファンホールド紙３の裏面に印刷等によって形成された識別マーク（黒の矩形のマーク）を受光部の受光量に基づいて検出する位置検出センサ９と、ファンホールド紙３を構成する各ラベル１に挟み込まれたＲＦＩＤタグ２に対してデータの読み出しおよび書き込みを行うＲＦＩＤリードライト部１０と、所定の光を出射する発光部および発光部から出射された光のファンホールド紙３からの反射光を受光し、受光した光の強度に対応する電気信号を出力する受光部からなり、ファンホールド紙３の裏面の側に発光部と受光部を配し、ファンホールド紙３の裏面に印刷等によって形成された識別マークを受光部の受光量に基づいて検出するカッタセンサ１１と、ファンホールド紙３を所定のタイミングで切断してラベル１として発行するカッタ１２とを備えている。
【０００９】
図２は、図１の実施の形態の電気的な構成例を示すブロック図である。同図に示すように、制御部２０は、所定の制御プログラムや各種設定データを記憶するＲＯＭ（Read Only Memory）２２と、ＲＯＭ２２に記憶されている制御プログラムに従って動作し、各部を制御するＣＰＵ（Central Processing Unit）２１と、ＣＰＵ２１が動作する上で必要となる各種データを記憶するＲＡＭ（Random Access Memory）２３と、ステッピングモータ２５にパルス信号を供給し、ステッピングモータ２５を回転させるモータ制御部２４と、ＣＰＵ２１から供給される印刷すべき文字、図形、およびバーコードなどの印刷データに対応する制御信号を生成し、この制御信号をサーマルヘッド５に供給し、印刷動作を行わせる印刷制御部２６と、ＣＰＵ２１の制御下、位置検出センサ９の発光部を制御し、光を出射させるとともに、受光部から出力される電気信号を受け取り、ディジタルのデータに変換して位置検出データとしてＣＰＵ２１に供給する位置検出センサ制御部２７と、ＣＰＵ２１の制御下、カッタセンサ１１の発光部を制御し、光を出射させるとともに、受光部から出力される電気信号を受け取り、ディジタルのデータに変換して位置検出データとしてＣＰＵ２１に供給するカッタセンサ制御部２８と、カッタ１２を制御し、ファンホールド紙３を所定のタイミングで切断させるカッタ制御部２９と、ＲＦＩＤリードライト部１０を制御し、ファンホールド紙３に挟み込まれているＲＦＩＤタグ２に対してデータの読み出しおよび書き込みを行うＲＦＩＤリードライト制御部３０と、外部インタフェース３１と、インタフェース３２とを備えている。
【００１０】
また、制御部２０には、各種データやコマンドを入力するための入力部３３と、入力部３３から入力された入力データや、各種情報を表示するための表示部３４とがインタフェース３２を介して接続されている。入力部３３より入力された入力データは、インタフェース３２を介してＣＰＵ２１に供給され、表示部３４に表示される各種情報に対応する表示データは、インタフェース３２を介してＣＰＵ２１より供給されるようになっている。また、外部インタフェース３１を介して、外部に接続された図示しないパーソナルコンピュータ等の各種機器との間で各種データやコマンドの送受信を行うことができるようになっている。
【００１１】
次に、図３および図４を参照して、本実施の形態の動作について説明する。図３（ａ）乃至図３（ｃ）は、ファンホールド紙３の最後のラベル１に正常な（データの読み書きが可能な）ＲＦＩＤタグ２が挟み込まれている場合の処理手順を示している。図４（ｄ）および図４（ｅ）は、最後のラベル１にＲＦＩＤタグ２が挟み込まれているが、そのＲＦＩＤタグ２が不良のため書き込みができない場合の処理手順を示している。図４（ｆ）乃至図４（ｉ）は、最後のラベル１にＲＦＩＤタグ２が挟み込まれていない場合の処理手順を示している。
【００１２】
ここでは、最後のラベル１の識別記号をＥ、最後から２番目のラベル１の識別記号を（Ｅ−１）、最後から３番目のラベル１の識別記号を（Ｅ−２）などとする。そして、ファンホールド紙３の終端のラベル１の識別記号を（Ｅ＋１）とする。この識別記号（Ｅ＋１）のラベル１は、通常は途中で切断されているため、使用できないものである。
【００１３】
また、識別記号（Ｅ＋１）のラベル１の先端（サーマルヘッド５に近い方の端部）に対応してファンホールド紙３の裏面の所定の位置に形成されている識別マークの識別記号を（Ｍ＋１）、識別記号（Ｅ）のラベル１の先端に対応してファンホールド紙３の裏面の所定の位置に形成されている識別マークの識別記号を（Ｍ）、識別記号（Ｅ−１）のラベル１の先端に対応してファンホールド紙３の裏面の所定の位置に形成されている識別マークの識別記号を（Ｍ−１）、識別記号（Ｅ−２）のラベル１の先端に対応してファンホールド紙３の裏面の所定の位置に形成されている識別マークの識別記号を（Ｍ−２）などとする。
【００１４】
図３（ａ）に示したように、まず、ファンホールド紙３が搬送方向（図１および図３の左方向）に搬送されると、位置検出センサ９により識別記号Ｅのラベル１に対応する識別マークＭが検出される。その前後の所定のタイミングで、識別記号（Ｅ−１）のラベル１に挟み込まれているＲＦＩＤタグ２がＲＦＩＤリードライト部１０の直下に接近し、ＣＰＵ２１の制御下、ＲＦＩＤリードライト制御部３０に制御されたＲＦＩＤリードライト部１０により識別記号（Ｅ−１）に対応するＲＦＩＤタグ２との間の通信が試みられ、ＲＦＩＤタグ２に対してデータの読み出しおよび書き込みが可能であるか否かが判定される。
【００１５】
その結果、識別記号（Ｅ−１）に対応するＲＦＩＤタグ２に対してデータの読み出しおよび書き込みが可能であると判定された場合、ＲＦＩＤリードライト制御部３０の制御下、ＲＦＩＤリードライト部１０により識別記号（Ｅ−１）に対応するＲＦＩＤタグ２に対する所定のデータの書き込みが行われる。
【００１６】
次に、識別記号（Ｅ−２）のラベル１を切断するために、ＣＰＵ２１の制御下、モータ制御部２４の制御によりステッピングモータ２５が回転駆動されてプラテン６が回転し、ファンホールド紙３が搬送方向に搬送され、識別記号（Ｅ−２）のラベル１の次の識別記号（Ｅ−１）のラベル１の先端に形成された識別記号（Ｍ−１）の識別マークがカッタ１２の直下まで移動させられる。
【００１７】
ＣＰＵ２１は、カッタセンサ１１からの出力信号に基づいて識別記号（Ｍ−１）の識別マークがカッタセンサ１１上に移動したことを認識することができる。従って、カッタセンサ１１とカッタ１２の間の距離の分だけファンホールド紙３を搬送することにより、カッタ１２の直下に識別記号（Ｍ−１）の識別マークが位置するようにファンホールド紙３を搬送させことができる。
【００１８】
次に、ＣＰＵ２１の制御下、カッタ制御部２９の制御によりカッタ１２が駆動され、識別記号（Ｅ−２）のラベル１が切断される。これにより、ＲＦＩＤタグ２に対して所定のデータが書き込まれ、ラベル１の印刷面に所定の印刷データが印刷されたラベル１が発行される。識別記号（Ｅ−２）のラベル１のＲＦＩＤタグ２に対するデータの書き込みおよびラベル１の印刷領域への印刷処理は既に終了しているので、その説明は省略する。
【００１９】
次に、識別記号（Ｅ−１）のラベル１に印刷を行うための位置決めが行われる。即ち、識別記号（Ｅ−１）のラベル１の印刷面の所定の印刷領域の先端がサーマルヘッド５の直下に位置するようにファンホールド紙３が搬送される。
【００２０】
この印刷のための位置決めは、例えば次のようにして行うことができる。位置検出センサ９によって識別記号（Ｍ−１）の識別マークが検出されてから、ファンホールド紙３が搬送された距離に基づいて識別記号（Ｍ−１）の識別マークの現在位置を求め、識別記号（Ｍ−１）の現在位置に基づいて、識別記号（Ｅ−１）のラベル１の印刷領域の先端をサーマルヘッド５の直下に移動させるための搬送方向および搬送距離を算出する。そして、その搬送方向に算出された距離だけファンホールド紙３を搬送することによって識別記号（Ｅ−１）のラベル１の印刷領域の先端をサーマルヘッド５の直下に移動させる。
【００２１】
次に、ＣＰＵ２１の制御下、モータ制御部２４の制御によりステッピングモータ２５が駆動されてファンホールド紙３が搬送されるとともに、印刷制御部２６の制御によりサーマルヘッド５が駆動されて識別記号（Ｅ−１）のラベル１の印刷領域に対して所定の印刷データの印刷が行われる。その後、印刷処理を行いながらファンホールド紙３を搬送すると、位置検出センサ９により、識別記号（Ｍ＋１）の識別マークが検出される。
【００２２】
図３（ｂ）に示したように、位置検出センサ９により識別記号（Ｍ＋１）の識別マークが検出される前後の所定のタイミングで、ＣＰＵ２１の制御下、ＲＦＩＤリードライト制御部３０に制御されたＲＦＩＤリードライト部１０により、識別記号Ｅのラベル１のＲＦＩＤタグ２との間で通信が試みられ、データの読み書きが可能であるか否かが判定される。
【００２３】
その結果、データの読み書きが可能であると判定された場合、ＣＰＵ２１の制御下、ＲＦＩＤリードライト制御部３０に制御されたＲＦＩＤリードライト部１０により、識別記号Ｅのラベル１のＲＦＩＤタグ２に対するデータの書き込みが行われる。
【００２４】
次に、識別記号（Ｅ−１）のラベル１を切断するために、ＣＰＵ２１の制御下、モータ制御部２４によってステッピングモータ２５が回転駆動され、プラテン６が回転し、ファンホールド紙３が搬送され、識別記号Ｍの識別マークがカッタ１２の直下のカッタ位置まで移動する。次に、ＣＰＵ２１の制御下、カッタ制御部２９の制御によりカッタ１２が駆動され、識別記号（Ｅ−１）のラベル１が切断され、発行される。
【００２５】
次に、識別記号Ｅのラベル１の印刷面の印刷領域に印刷を行うための位置決めが行われる。この印刷のための位置決めは、例えば次のようにして行うことができる。位置検出センサ９によって識別記号Ｍの識別マークが検出されてから、ファンホールド紙３が搬送された距離に基づいて識別記号Ｍの識別マークの現在位置を求め、識別記号Ｍの現在位置に基づいて、識別記号Ｅのラベル１の印刷領域の先端をサーマルヘッド５の直下に移動させるための搬送方向および搬送距離を算出する。そして、その搬送方向に算出された距離だけファンホールド紙３を搬送することによって識別記号Ｅのラベル１の印刷領域の先端をサーマルヘッド５の直下に移動させる。
【００２６】
次に、ＣＰＵ２１の制御下、モータ制御部２４の制御によりステッピングモータ２５が駆動されてプラテン６が回転し、ファンホールド紙３が搬送されるとともに、印刷制御部２６の制御によりサーマルヘッド５が駆動されて識別記号Ｅのラベル１の印刷領域に対して所定の印刷データの印刷が行われる。その後、印刷処理を行いながらファンホールド紙３を搬送すると、位置検出センサ９により、ペーパーエンドが検出される。
【００２７】
このとき、ＲＦＩＤリードライト部１０によるＲＦＩＤタグ２との間の通信ができず、かつ、識別マークが検出されないため、ＣＰＵ２１により、ペーパーエンドが発生したと判断され、表示部３４に対してペーパーエンドエラーが発生したことを示すメッセージに対応する表示データがインタフェース３２を介して供給され、表示部３４にそのメッセージが表示される。
【００２８】
次に、図４（ｄ）および図４（ｅ）を参照して、最後のラベル１にＲＦＩＤタグ２が挟み込まれているが、そのＲＦＩＤタグ２が不良のため書き込みができない場合の処理手順について説明する。
【００２９】
識別記号（Ｅ−１）のラベル１に挟み込まれているＲＦＩＤタグ２は、正常にデータを書き込むことができたので、識別記号（Ｅ−１）のラベル１は、正常に印字発行される（図４（ｄ））。一方、識別記号Ｅのラベル１に挟み込まれているＲＦＩＤタグ２は、正常にデータを書き込むことができないので、ＣＰＵ２１の制御下、印刷制御部２６によって制御されたサーマルヘッド５により、ＲＦＩＤタグ２への書き込みができない不良ラベルであることを示すメッセージが印刷された後、識別記号Ｅのラベル１が発行される（図４（ｅ））。
【００３０】
これにより、オペレータは、この識別記号Ｅのラベル１がＲＦＩＤタグ２への書き込みができない不良ラベルであることを目視により簡単に認識することができる。
【００３１】
次に、図４（ｆ）乃至図４（ｉ）を参照して、最後のラベル１にＲＦＩＤタグ２が挟み込まれていない場合の処理手順について説明する。
【００３２】
図４（ｆ）に示すように、ＣＰＵ２１の制御下、ＲＦＩＤリードライト制御部３０の制御により、ＲＦＩＤリードライト部１０は、識別記号Ｅのラベル１に挟み込まれているＲＦＩＤタグ２に対してデータの書き込みを行う。次に、ＣＰＵ２１の制御下、モータ制御部２４の制御によりステッピングモータ２５が回転駆動され、プラテン６が回転してファンホールド紙３が搬送されるとともに、印刷制御部２６の制御によりサーマルヘッド５が駆動され、所定の印刷データが識別記号Ｅのラベル１の印刷面の印刷領域に印刷される。
【００３３】
その後、図４（ｈ）に示すように、ファンホールド紙３はそのまま搬送され、ＣＰＵ２１の制御下、カッタ制御部２９の制御によりカッタ１２が駆動されて切断され、識別記号Ｅのラベル１が発行される。
【００３４】
このとき、識別記号（Ｅ＋１）のラベル１にはＲＦＩＤタグ２が挟み込まれていないので、ＲＦＩＤリードライト部１０は、識別記号（Ｅ＋１）のラベル１との間で通信を行うことができない。ＣＰＵ２１は、識別記号（Ｅ＋１）のラベル１にはＲＦＩＤタグ２が挟み込まれていないかまたはデータの読み書きができない不良なＲＦＩＤタグ２が挟み込まれていると判断する。
【００３５】
そこで、ＣＰＵ２１の制御下、印刷制御部２６によって制御されたサーマルヘッド５により、ＲＦＩＤタグ２が挟み込まれていないかまたはデータの読み書きができない不良ラベルであることを示すメッセージが識別記号（Ｅ＋１）のラベル１の印刷面の印刷領域に印刷された後、カッタ１２によって切断され、識別記号（Ｅ＋１）のラベル１が発行される。
【００３６】
次に、図５のフローチャートを参照して、終端処理について説明する。まず最初に、ステップＳ１において、ＣＰＵ２１により、位置検出センサ９より供給される位置検出データに基づいて、ペーパーエンドが発生したか否かが判定される。
【００３７】
その結果、ペーパーエンドが発生していないと判定された場合、ステップＳ２に進む。一方、ペーパーエンドが発生したと判定された場合、ステップＳ５に進む。
【００３８】
ステップＳ２においては、ＣＰＵ２１により、印刷すべき印刷データがあるか否かが判定される。その結果、印刷データがないと判定された場合、ステップＳ４に進む。一方、印刷データがあると判定された場合、ステップＳ３に進む。
【００３９】
ステップＳ３においては、ＣＰＵ２１の制御下、印刷制御部２６によって制御されたサーマルヘッド５によりラベル１の印刷面の印刷領域に所定の印刷データが印刷され、ＲＦＩＤリードライト制御部３０によって制御されたＲＦＩＤリードライト部１０によりラベル１に挟み込まれているＲＦＩＤタグ２に対して所定のデータが書き込まれる。その後、ＣＰＵ２１の制御下、カッタセンサ制御部２８より供給される検出信号に基づいて所定のタイミングでカッタ制御部２９の制御によりカッタ１２が駆動され、ラベル１が切断され、発行される。
【００４０】
ステップＳ４においては、全てのラベル１に対して印刷データの印刷およびＲＦＩＤタグ２へのデータの書き込みが行われ、全てのラベル１の発行が終了したか否かが判定される。その結果、全てのラベル１の発行が終了していないと判定された場合、ステップＳ１に戻り、ステップＳ１以降の処理が繰り返し実行される。一方、全てのラベル１の発行が終了したと判定された場合、本処理を終了する。
【００４１】
一方、ステップＳ５においては、ＲＦＩＤタグ２がラベル１に挟み込まれているか否かが判定される。その結果、ＲＦＩＤタグ２がラベル１に挟み込まれていると判定された場合、ステップＳ６に進む。一方、ＲＦＩＤタグ２がラベル１に挟み込まれていないと判定された場合、ステップＳ８に進む。
【００４２】
ステップＳ６においては、そのラベル１に対して印刷データを正常に印刷することが可能であるか否かが判定される。即ち、そのラベル１は、途中で千切れていない正常なものであるか否かが判定される。その結果、そのラベル１が正常なものであり、正常に印刷することが可能であると判定された場合、ステップＳ７に進む。一方、そのラベル１が正常なものではなく、正常に印刷することが不可能であると判定された場合、ステップＳ８に進む。
【００４３】
ステップＳ７においては、最後のラベル１に対する印刷データの印刷およびＲＦＩＤタグ２に対するデータの書き込みが行われる。その後、そのラベル１がカッタ１２によって切断され、発行される。
【００４４】
一方、ステップＳ８においては、ＣＰＵ２１の制御下、最後のラベル１にＲＦＩＤタグ２が挟み込まれていない場合、印刷制御部２６によって制御されたサーマルヘッド５によりそのことを示すメッセージが印刷され、カッタ制御部２９によって制御されたカッタ１２によってカットされた後、排出される。
【００４５】
また、最後のラベル１が途中で千切れているなどして正常に印刷データを印刷することができない場合、最後のラベル１がカットされ、排出されるとともに、ペーパーエンドが発生したことを示すメッセージが表示部３４に表示される。その際、不良ラベルであることを示す所定のメッセージ等を最後のラベル１の印刷面の印刷領域に印刷することができる。
【００４６】
このように、最後のラベル１が正常なものである場合には、ラベルエンドエラーが発生しても、最後のラベル１に対する印刷およびＲＦＩＤタグ２へのデータの書き込みを行った後、ラベル１を切断して発行することができる。これにより、最後のラベル１のＲＦＩＤタグ２を無駄にしないようにすることができる。
【００４７】
なお、上記実施の形態では、例えば、不良ラベルが目視で分りやすいように、無効なラベルであることを印刷した例で説明したが、これに限定されないことは勿論であり、「無印刷」、すなわち、必要情報を何も印刷しないようにすることでオペレータに不良ラベルであることを認識させることも可能である。
【００４８】
また、上記実施の形態の構成及び動作は例であって、本発明の趣旨を逸脱しない範囲で適宜変更することができることは言うまでもない。
【図面の簡単な説明】
【００４９】
【図１】本発明の一実施の形態の構成例を示す図である。
【図２】図１の電気的な構成例を示すブロック図である。
【図３】最後のラベルに正常なＲＦＩＤタグが挟み込まれている場合の処理手順を示す図である。
【図４】最後のラベルにＲＦＩＤタグが挟み込まれているが、そのＲＦＩＤタグが不良のため書き込みができない場合、およびＲＦＩＤタグが挟み込まれていない場合の処理手順を示す図である。
【図５】終端処理を説明するためのフローチャートである。
【符号の説明】
【００５０】
１  ラベル
２  ＲＦＩＤタグ
３  ファンホールド紙（折りたたみ連続紙）
４  補助ローラ
５  サーマルヘッド
６  プラテンローラ（プラテン）
７  リボン供給部
８  リボン巻取部
９  位置検出センサ
１０  ＲＦＩＤリードライト部
１１  カッタセンサ
１２  カッタ
２０  制御部
２１  ＣＰＵ
２２  ＲＯＭ
２３  ＲＡＭ
２４  モータ制御部
２５  ステッピングモータ
２６  印刷制御部
２７  位置検出センサ制御部
２８  カッタセンサ制御部
２９  カッタ制御部
３０  ＲＦＩＤリードライト制御部
３１  外部インタフェース
３２  インタフェース
３３  入力部
３４  表示部
１００  ラベルプリンタ
【図１】
2006272842.tif 000003
【図２】
2006272842.tif 000004
【図３】
2006272842.tif 000005
【図４】
2006272842.tif 000006
【図５】
2006272842.tif 000007